(57)【要約】【課題】室外に配置され、ファンやモータ等の音を含む騒音を低減することにより、室内の消音器を不要とする消音装置の提供。【解決手段】内面に吸音材としてのグラスウール５が配設され、室内から上方へ向かって開口されたベース２上に設置される中空筒体３と、内面に吸音材としてのグラスウール２１が配設され、中空筒体３の上部開口に覆い被せられた笠体４とから構成され、中空筒体３の上部の笠体４が被った位置に、中空筒体３の内部空間１０と笠体４の内側の空間２０とを連通する連通口１１が設けられた消音装置１である。【選択図】  図３
0003110176.tif 000002
【実用新案登録請求の範囲】
【請求項１】
内面に吸音材が配設され、室内から上方へ向かって開口されたベース上に設置される中空筒体と、
内面に吸音材が配設され、前記中空筒体の上部開口に覆い被せられた笠体とから構成され、
前記中空筒体の上部の前記笠体が被った位置に、前記中空筒体の内部空間と前記笠体の内側の空間とを連通する連通口が設けられた消音装置。
【請求項２】
前記中空筒体の内部空間を空気の通過方向に分岐させる隔壁板が備えられ、
同隔壁板の表面全周に吸音材が配設された請求項１記載の消音装置。
【請求項３】
前記中空筒体の外面の前記笠体が被った位置に、吸音材が配設された請求項１または２に記載の消音装置。
【請求項４】
前記吸音材の表面を、複数の小孔が形成された板材により保護した請求項１から３のいずれかに記載の消音装置。
【請求項５】
前記吸音材は、グラスウールである請求項１から４のいずれかに記載の消音装置。
【請求項６】
前記吸音材の表面に、撥水性グラスクロスを貼り付けた請求項１から５のいずれかに記載の消音装置。
【請求項７】
前記ベースは、建造物の屋上に形成されたものである請求項１から６のいずれかに記載の消音装置。
【考案の詳細な説明】
【技術分野】
【０００１】
本考案は、室外に配置され、ファンやモータ等の音を含む騒音を低減する消音装置に関する。
【背景技術】
【０００２】
従来、ビル等の建造物内の給排気を行うために建造物内や建造物の外回りなどに給排気用ダクトを配設し、送風ファン等によってダクトを通じて空気を循環させている。その際、ダクトの出入口等に設置する送風ファンやそのモータ等から発生する音や空気の流れる音（騒音）を極力取り除くためにいくつかの工夫がなされている。
【０００３】
例えば、図１０に示すように、従来、給気用ダクト１００および排気用ダクト２００には送風ファン１０１，２０１が設けられており、室外の給気チャンバ塔１０２を通じて空気を室内へ吸引したり、室内の空気を排気チャンバ塔２０２を通じて室外へ排出したりしている。なお、給気チャンバ塔１０２および排気チャンバ塔２０２の側面には、それぞれ空気の吸引口または排出口から雨水が浸入するのを防止するためにルーバ（がらり）１０３，２０３が設けられている。
【０００４】
また、この例では、給気側において、給気チャンバ塔１０２のルーバ１０３から吸引する空気の流れる音を取り除くために、室内の給気用ダクト１００には消音器１０４が設けられている。一方、排気側においても、室内で発生する騒音が排気用ダクトを通じて室外へ排出しないように、同様に室内の排気用ダクト２００に消音器２０４が設けられている。
【考案の開示】
【考案が解決しようとする課題】
【０００５】
上記のように、従来の給気用ダクト１００および排気用ダクト２００の消音は、室内の天井部分の高い位置に設置された給気用ダクト１００および排気用ダクト２００に消音器１０４，２０４を取り付けることによって行っているので、その設置作業は容易ではない。また、消音器１０４，２０４を取り付けるために室内の天井部分に余分なスペースが必要となるので、天井面を高くしなければならない。
【０００６】
さらに、室外の給気チャンバ塔１０２および排気チャンバ塔２０２のように雨水が浸入するのを防止するために側面に大きなルーバ１０３，２０３を取り付けなければならないので、給気チャンバ塔１０２および排気チャンバ塔２０２の高さをあまり低くすることができない。
【０００７】
そこで、本考案においては、室外に配置され、ファンやモータ等の音を含む騒音を低減することにより、室内の消音器を不要とする消音装置を提供することを目的とする。
【課題を解決するための手段】
【０００８】
本考案の消音装置は、内面に吸音材が配設され、室内から上方へ向かって開口されたベース上に設置される中空筒体と、内面に吸音材が配設され、中空筒体の上部開口に覆い被せられた笠体とから構成され、中空筒体の上部の笠体が被った位置に、中空筒体の内部空間と笠体の内側の空間とを連通する連通口が設けられたものである。
【０００９】
本考案の消音装置によれば、給気時には、笠体の下端から笠体の内側の空間へ空気が流入し、笠体の内面に配設された吸音材により音が吸収されながら、笠体の内側の空間と中空筒体の内部空間とを連通する連通口を通じて中空筒体の内部空間へと流入し、中空筒体の内面に配設された吸音材により音が吸収され、ベースの開口から室内へと流入する。
【００１０】
逆に、排気時には、室内からベースの開口を通じて中空筒体の内部空間へ空気が流入し、中空筒体の内面に配設された吸音材により音が吸収されながら、中空筒体の内部空間と笠体の内側の空間とを連通する連通口を通じて笠体の内側の空間へと流入し、笠体の内面に配設された吸音材により音が吸収され、笠体の下端から笠体の外側へと流出する。
【００１１】
また、本考案の消音装置は、中空筒体の内部空間を空気の通過方向に分岐させる隔壁板が備えられ、隔壁板の表面全周に吸音材が配設されたものであることが望ましい。中空筒体の内部空間を通過する空気を隔壁板によって分岐させることで、空間の縮小による消音効果が得られる。また、隔壁板の表面全周に吸音材が配設されているので、空気と吸音材との接触面積が増え、さらに吸音効果が増大する。
【００１２】
また、本考案の消音装置は、中空筒体の外面の笠体が被った位置に、吸音材が配設されたものであることが望ましい。これにより、空気が連通口と笠体の下端との間を通過する際、笠体の内面の吸音材だけでなく、対面側の中空筒体の外面の吸音材により吸音されるので、より吸音効果が増大する。
【００１３】
なお、吸音材の表面を、複数の小孔が形成された板材により保護したものであることが望ましい。これにより、吸音材が保護され、剥がれたり落下したりするのが防止される。また、この板材の複数の小孔によりさらに空気が細かく分割されてからその裏面の吸音材により吸音されるので、さらに吸音効果が増大する。
【００１４】
吸音材としては、例えばグラスウールを用いることができるが、他のものを用いることも可能である。また、吸音材の表面には、撥水性グラスクロスを貼り付けることが望ましい。これにより、空気中の水分がはじかれるので、吸音材に水分が吸収されるのを防ぐことができ、吸音材の吸音効果の劣化を防止することができる。
【考案の効果】
【００１５】
本考案の消音装置は、室内から上方へ向かって開口された室外のベース上に設置するだけで、給気時または排気時にベースの開口から室内へ流入または室外へ流出する空気の騒音を低減することができる。これにより、従来の室内の消音器は不要となり、消音器設置のために室内の天井面を高くする必要がなくなる。また、空気は笠体の下端の内側から流入または流出するので雨水が浸入することがなく、従来のようにルーバを取り付ける必要がない。
【００１６】
また、本考案の消音装置は、中空筒体の内部空間を空気の通過方向に分岐させる隔壁板が備えられ、隔壁板の表面全周に吸音材が配設されたものであることにより、空間の縮小による消音効果が得られることに加え、隔壁板の表面全周に配設された吸音材により空気と吸音材との接触面積が増えるので、さらに吸音効果が増大する。
【００１７】
また、本考案の消音装置は、中空筒体の外面の笠体が被った位置に、吸音材が配設されたものであることにより、空気が連通口と笠体の下端との間を通過する際、笠体の内面の吸音材だけでなく、対面側の中空筒体の外面の吸音材により吸音されるので、より吸音効果が増大する。
【００１８】
また、吸音材の表面を、複数の小孔が形成された板材により保護したものであることにより、吸音材が保護され、剥がれたり落下したりするのが防止される。また、この板材の複数の小孔によりさらに空気が細かく分割されてからその裏面の吸音材により吸音されるので、さらに吸音効果が増大する。
【００１９】
また、吸音材の表面に、撥水性グラスクロスを貼り付けることにより、空気中の水分がはじかれるので、吸音材に水分が吸収されるのを防ぐことができ、吸音材の吸音効果の劣化を防止することができる。
【考案を実施するための最良の形態】
【００２０】
図１は本考案の実施の形態における消音装置の正面図、図２は平面図、図３は図１の縦断面図、図４は図３のＡ−Ａ線断面図である。
【００２１】
図１に示すように、本考案の実施の形態における消音装置１は、建造物の屋上（ＲＦ）すなわち室外に配置される。この建造物の屋上には、消音装置１を載置するためのベース２が形成されている。ベース２は、建造物の室内から上方へ向かって開口された開口部２ａを備える。消音装置１は、角柱状の中空筒体３と、笠体４とから構成される。
【００２２】
中空筒体３の内面には吸音材としてのグラスウール５が配設され、さらにその内面には撥水性グラスクロス６が貼り付けられている。撥水性グラスクロス６の内面は、複数の小孔が形成された板材としてのパンチングメタル７により保護されている。また、中空筒体３の内部空間１０には、この内部空間１０を空気の通過方向に分岐させる隔壁板８が設けられている。
【００２３】
隔壁板８は、図４に示すように内部空間１０を４つの空間１０ａ，１０ｂ，１０ｃ，１０ｄに分岐させるように断面十字状に形成されたものである。隔壁板８の表面全周には、吸音材としてのグラスウール９が配設されている。また、中空筒体３の上部には、中空筒体３の内部空間１０と笠体４の内側の空間２０とを連通する連通口１１が設けられている。連通口１１は、中空筒体３の上部の笠体４が被った位置に複数設けられている。なお、この隔壁板８は、要求減衰量によって内部空間１０を２つの空間に分岐させるように形成したり、なくしたりすることもある。
【００２４】
笠体４は、中空筒体３の上部開口である連通口１１に覆い被せられるように形成されたものであり、中空筒体３と同様に、その内面に吸音材としてのグラスウール２１、撥水性グラスクロス２２およびパンチングメタル２３が配設されている。また、中空筒体３の外面の笠体４が被った位置にも、グラスウール５、撥水性グラスクロス６およびパンチングメタル７が配設されている。
【００２５】
この構成の消音装置１では、給気時には、笠体４の下端から笠体４の内側の空間２０へ空気が流入し、笠体４の内面に配設されたグラスウール２１および中空筒体３の外面に配設されたグラスウール５により音が吸収されながら、連通口１１を通じて中空筒体３の内部空間１０へと流入し、中空筒体３の内面に配設されたグラスウール５により音が吸収され、ベース２の開口部２ａから室内へと流入する。
【００２６】
逆に、排気時には、室内からベース２の開口部２ａを通じて中空筒体３の内部空間１０へ空気が流入し、中空筒体３の内面に配設されたグラスウール５により音が吸収されながら、連通口１１を通じて笠体４の内側の空間２０へと流入し、笠体４の内面に配設されたグラスウール２１および中空筒体３の外面に配設されたグラスウール５により音が吸収され、笠体４の下端から笠体４の外側へと流出する。
【００２７】
このように、本実施形態における消音装置１では、室内から上方へ向かって開口された室外のベース２上に設置するだけで、給気時または排気時にベース２の開口部２ａから室内へ流入または室外へ流出する空気の騒音を低減することができる。これにより、従来の室内の消音器は不要となり、消音器設置のために室内の天井面を高くする必要がなくなる。また、空気は笠体４の下端の内側から流入または流出するので雨水が浸入することがなく、従来のようにルーバを取り付ける必要がない。
【００２８】
また、本実施形態における消音装置１では、中空筒体３の内部空間１０を通過する空気を隔壁板８によって分岐させることで、空間の縮小による消音効果が得られる。また、この隔壁板８の表面全周に吸音材としてのグラスウール９が配設されているので、空気とグラスウール９との接触面積が増え、さらに吸音効果が増大する。
【００２９】
また、本実施形態における消音装置１では、グラスウール５，２１の表面を、複数の小孔が形成されたパンチングメタル７，２３により保護しているので、このグラスウール５，２１が剥がれたり落下したりするのが防止される。また、このパンチングメタル７，２３の複数の小孔によりさらに空気が細かく分割されてからその裏面のグラスウール５，２１により吸音されるので、さらに吸音効果が増大している。
【００３０】
また、さらに本実施形態における消音装置１では、グラスウール５，２１の表面に、撥水性グラスクロス６，２２を貼り付けているので、空気中の水分がはじかれる。これにより、グラスウール５，２１に水分が吸収されるのを防ぐことができ、グラスウール５，２１の吸音効果の劣化を防止することができる。
【００３１】
図５は本考案の別の実施の形態を示す消音装置の正面図、図６は平面図である。
この消音装置３０は、円柱状の中空筒体３１と、笠体３２とから構成される。他の構成については、前述の消音装置１と同様である。この消音装置３０では、中空筒体３１が円柱状であるため、風の影響を受けにくい。そのため、強い風を受けやすい高層ビルの屋上や台風の到来しやすい地域に設置するのに適している。
【００３２】
図７は消音装置１の設置例を示している。
図７の（ａ）に示す例では、ファン４０が、ベース２の開口部２ａの下方に鉛直方向に直に設置されている。また、図７の（ｂ）に示す例では、ファン４０が、ベース２の開口部２ａの下方にエルボ管４１を介して水平方向に設置されている。
【００３３】
図８は中空筒体３を複数連結した構成の消音装置５０の例を示している。
図８の（ａ）に示す消音装置５０は、中空筒体５１に２つの内部空間５２ａ，５２ｂが形成されており、それぞれの内部空間５２ａ，５２ｂに連結されたベース５３の開口部５４ａ，５４ｂの下方にそれぞれファン４０が設置されている。また、図８の（ｂ）に示す例では、図７の（ｂ）の例と同様にファン４０がベース５３の開口部５４ａ，５４ｂの下方にエルボ管（図示せず。）を介して水平方向に設置されている。
【００３４】
図９は本考案のまた別の実施の形態を示す消音装置の縦断面図である。
図９に示す消音装置６０は、ベース２の開口部２ａ上に直に設置せず、ファン７０を収容したダクト７１を介して設置したものである。消音装置６０の構成は、消音装置１と同様であるが、下部開口６１が側面に設けてあり、この下部開口６１にダクト７１が接続されている。この例では、ファン７０を屋外に設置することができ、ファン７０のメンテナンス性が向上する。
【産業上の利用可能性】
【００３５】
本考案の消音装置は、室外に配置され、ファンやモータ等の音を含む騒音を低減する装置として有用である。
【図面の簡単な説明】
【００３６】
【図１】本考案の実施の形態における消音装置の正面図である。
【図２】図１の消音装置の平面図である。
【図３】図１の縦断面図である。
【図４】図３のＡ−Ａ線断面図である。
【図５】本考案の別の実施の形態を示す消音装置の正面図である。
【図６】図５の消音装置の平面図である。
【図７】消音装置の設置例を示す図である。
【図８】中空筒体を複数連結した構成の消音装置の例を示す図である。
【図９】本考案のまた別の実施の形態を示す消音装置の縦断面図である。
【図１０】従来の空調構造を示す断面図である。
【符号の説明】
【００３７】
１，３０，５０，６０  消音装置
２，５３  ベース
２ａ，５４ａ，５４ｂ  開口部
３，３１，５１  中空筒体
４，３２  笠体
５，９，２１  グラスウール
６，２２  撥水性グラスクロス
７，２３  パンチングメタル
８  隔壁板
１０，５２ａ，５２ｂ  内部空間
１０ａ  空間
１１  連通口
２０  空間
４０，７０  ファン
４１  管
６１  下部開口
７１  ダクト
【図１】
0003110176.tif 000003
【図２】
0003110176.tif 000004
【図３】
0003110176.tif 000005
【図４】
0003110176.tif 000006
【図５】
0003110176.tif 000007
【図６】
0003110176.tif 000008
【図７】
0003110176.tif 000009
【図８】
0003110176.tif 000010
【図９】
0003110176.tif 000011
【図１０】
0003110176.tif 000012